【事件の表示】
　特許第３４０３１５２号「コンクリート構造物の電気防食装置および電気防食方法」の請求項１ないし４に係る特許に対する特許異議の申立てについて、次のとおり決定する。
【結　論】
　訂正を認める。
　特許第３４０３１５２号の請求項１ないし４に係る特許を維持する。
【理　由】
Ｉ．手続の経緯 
　特許３４０３１５２号の請求項１〜４に係る発明は、平成１２年７月４日に特許出願され、平成１５年２月２８日にその特許権の設定登録がなされ、その後、その特許の請求項１〜４に係る発明について、日本防蝕工業株式会社（以下、「特許異議申立人」という。）より特許異議の申立てがなされ、平成１６年５月１７日付けで取消しの理由が通知され、その指定期間内である平成１６年８月２日に訂正請求（後日取下げ）がなされた後、平成１７年１月３１日付けで取消しの理由が再度通知され、その指定期間内である平成１７年２月１８日に訂正請求がなされたものである。 
　
ＩＩ．訂正の適否についての判断 
１．訂正の内容 
（１）訂正事項ａ
　請求項１中の「電気防食電極保持部材を有し、該電気防食電極保持部材中には電気防食電極を有するとともに充填材が満たされており、」を「内部に電気防食電極を有した電気防食電極保持部材を設け、該電気防食電極保持部材は、合成樹脂材料、不良導電性材料、薄膜形成性金属、セメント系のモルタル材料からなる群から選ばれるいずれか一種からなり、該電気防食電極保持部材は、コンクリート表面に接する底部と該底部の両側の部材からなり、該底部の設置面がコンクリート表面に接して配置されるとともに、該電気防食電極保持部材の内部に充填材が保持されており、前記」と訂正する。 
（２）訂正事項ｂ
　請求項２中の「電気防食電極が」を、「電気防食電極がエキスパンデッドメタルからなる基材から作製されたものであって、」と訂正する。
（３）訂正事項ｃ
　請求項３中の「該電気防食電極保持部材中に電気防食電極を配置し固定し」を「該電気防食電極保持部材の内部に電気防食電極を配置し固定し」と訂正する。
（４）訂正事項ｄ
　請求項４中の「防食対象のコンクリート表面に、内部に電気防食電極を備えた電気防食電極保持部材を固定した後に、該電気防食電極保持部材中に充填材を塗布あるいは注入によって充填し」を、「電気防食電極を内部に固定した電気防食電極保持部材を防食対象のコンクリート表面に固定した後に、電気防食電極保持部材中に充填材を塗布あるいは注入によって充填し」と訂正する。
　
２．訂正の目的の適否、新規事項の有無、及び特許請求の範囲の拡張・変更の存否 
　上記訂正事項ａは、訂正前の請求項１の「電気防食電極保持部材を有し、該電気防食電極保持部材中には電気防食電極を有するとともに充填材が満たされており」という記載に関して、電気防食電極保持部材と電気防食電極との相互関係を「内部に電気防食電極を有した電気防食電極保持部材を設け」と限定し、電気防食電極保持部材の材質を「合成樹脂材料、不良導電性材料、薄膜形成性金属、セメント系のモルタル材料からなる群から選ばれるいずれか一種からなり」と限定し、電気防食電極保持部材のコンクリート表面上での構造を「コンクリート表面に接する底部と該底部の両側の部材からなり、該底部の設置面がコンクリート表面に接して配置される」と限定し、電気防食電極保持部材と充填材との相互関係を「電気防食電極保持部材の内部に充填材が保持されており」と限定したものであり、願書に添付した明細書の段落【００１２】【００１４】【００１５】の記載に裏付けられているので、特許請求の範囲の減縮を目的とした明細書の訂正に該当する。
　上記訂正事項ｂは、訂正前の請求項２において、電気防食電極の構造を「エキスパンデッドメタルからなる基材から作製されたもの」と限定したもので、願書に添付した明細書の段落【００１３】の記載に裏付けられているので、特許請求の範囲の減縮を目的とした明細書の訂正に該当する。
　上記訂正事項ｃは、訂正前の請求項３において、電気防食電極保持部材と電気防食電極との相互関係を「電気防食電極保持部材の内部に電気防食電極を配置し固定し」と限定したもので、願書に添付した明細書の段落【００２０】の記載に裏付けられているので、特許請求の範囲の減縮を目的とした明細書の訂正に該当する。
　上記訂正事項ｄは、請求項４のコンクリート構造物の電気防食方法において、「電気防食電極を内部に固定した電気防食電極保持部材を防食対象のコンクリート表面に固定した後に、電気防食電極保持部材中に充填材を塗布あるいは注入によって充填し」と工程の前後関係を明りょうにしたもので、明りょうでない記載の釈明に該当する。
　
　そして、いずれの訂正も、新規事項の追加に該当せず、また実質上特許請求の範囲を拡張し、又は変更するものではない。 
　
３．まとめ 
　以上のとおりであるから、特許法第１２０条の４第２項及び同条第３項において準用する特許法第１２６条第２項から第４項までの規定に適合するので、当該訂正を認める。 
　
ＩＩＩ．特許異議申立てについて 
１．特許異議申立の概要 
　特許異議申立人は、証拠として、甲第１号証：特開昭６２−１９９７８４号公報を提出して、訂正前の請求項１〜４に係る発明は、甲第１号証に記載された発明であり、又は甲第１号証に記載された発明に基づいて当業者が容易に発明することができたものであるから、同発明に係る特許は、特許法第２９条第１項第３号、又は同条第２項の規定に違反してなされたものであり、これを取り消すべき旨主張する。 
　
２．本件発明 
　上記ＩＩ．で示したように上記訂正が認められるから、本件の特許第３４０３１５２号の請求項１〜４に係る発明は、平成１７年２月１８日付けの訂正明細書の特許請求の範囲の請求項１〜４に記載された事項により特定されるとおりのものであるところ、異議申立てがされている請求項１〜４に係る発明（以下、「本件発明１〜４」という。）は、次のとおりのものである。　
「【請求項１】コンクリート構造物の電気防食装置において、コンクリート
表面に、内部に電気防食電極を有した電気防食電極保持部材を設け、該電気防食電極保持部材は、合成樹脂材料、不良導電性材料、薄膜形成性金属、セメント系のモルタル材料からなる群から選ばれるいずれか一種からなり、該電気防食電極保持部材は、コンクリート表面に接する底部と該底部の両側の部材からなり、該底部の設置面がコンクリート表面に接して配置されるとともに、該電気防食電極保持部材の内部に充填材が保持されており、前記電気防食電極とコンクリート構造物中の鋼材との間に防食電流を通電する手段を有することを特徴とするコンクリート鋼構造物の電気防食装置。
【請求項２】電気防食電極がエキスパンデッドメタルからなる基材から作製されたものであって、コンクリート表面に固定部材によって固定されていることを特徴とする請求項１記載のコンクリート構造物の電気防食装置。
【請求項３】コンクリート構造物の電気防食方法において、防食対象のコンクリート表面に、電気防食電極保持部材を固定した後に、該電気防食電極保持部材の内部に電気防食電極を配置し固定し、その後に電気防食電極保持部材中に充填材を塗布あるいは注入によって充填し、コンクリート構造物の鋼材と電気防食電極との間に防食電流を通電することを特徴とするコンクリート構造物の電気防食方法。
【請求項４】コンクリート構造物の電気防食方法において、電気防食電極を内部に固定した電気防食電極保持部材を防食対象のコンクリート表面に固定した後に、電気防食電極保持部材中に充填材を塗布あるいは注入によって充填し、コンクリート構造物の鋼材と電気防食電極との間に防食電流を通電することを特徴とするコンクリート構造物の電気防食方法。」 
　
３．引用刊行物及びその記載事項 
　当審において平成１６年５月１７日付けで通知した取消理由で引用した刊行物１の記載事項は次のとおりのものである。 
刊行物１：特開昭６２−１９９７８４号公報（特許異議申立の甲第１号証）　
（１）特開昭６２−１９９７８４号公報
（１−１）「鉄筋コンクリート構造物に電極体を取り付けることによって、そのコンクリート構造物を防食する方法において、前記コンクリート構造物に接合部材を固設してから、この接合部材に電極部材を固定し、ついで開口部を有する支持容器にバックフィル材を充填した後、その開口部を前記コンクリート構造物の表面に臨ませてこの支持容器を前記接合部材と接合させるとともに、前記バックフィル材を前記コンクリート構造物の表面に圧接接合させることによって、前記接合部材、電極部材、支持容器およびバックフィル材からなる電極体を前記コンクリート構造物に装着する」（第１頁左欄５〜１７行）
（１−２）「コンクリート構造物の鉄筋を直流電源の陰極に、また電極体の電極部材を陽極に接続してそれらの間に一定電流を流すと、電極部材からバックフィル材およびコンクリートを介して鉄筋に防食電流が流れ、それによって前記鉄筋の腐食が防止される。」 （第２頁右下欄７〜１２行）
（１−３）「接合部材２は第２図に示すように断面略コ字状を呈し、・・・例えば合成樹脂で形成される。支持容器３は、第２図に示すように断面略コ字状をなし、・・・例えば接合部材２と同様に合成樹脂でつくられ、・・・電極部材（陽極部材）５は、例えば、白金メッキチタン線（Ｐｔ−Ｔｉ線）で構成するのが好ましいが、その他、導電性樹脂、グラファイト等でつくることもできる。」（３頁左上欄１行〜右上欄５行）
（１−４）「第３図に示すように、先ず、コンクリート構造物１０の例えば下面（底面）１０aの適宜個所をワイヤブラシ等で清浄にした後、接合部材２の各孔２g、２gと対応させて一対の孔１０b、１０bを直線上に所定の間隔をあけて複数個所、例えば３個所、都合６個穿設する。ついで、各１対の孔１０b、１０bに各接合部材２の各孔２g、２gを合致させ、かつ上壁２aを下面１０aに当接させて耐食性のプラグ４を各接合部材２の各孔２gを介してコンクリート構造物１０aの対応する各孔１０bに圧入し、各接合部材２をコンクリート構造物１０の下面１０aに強固に固設した後、各接合部材２のガイド壁２b、２b（第２図）間の各空間２d 内にその開口端２cから電極部材５を圧入嵌装する。このようにしてコンクリート構造物１０の下面１０aに電極部材５を固定する。
　つぎに、支持容器３内にバックフィル材、すなわち、セメントモルタル６を小過剰に充填してから、支持容器３を各接合部材２に外嵌させつつ構造物１０の下面１０aに押しつけて各爪状鉤２fを当該支持容器３の対応する各スリット３c内に嵌合させ、各接合部材２に支持容器３を係止保持させる。この状態において、電極部材５の一端は支持容器３の切欠３e（第１図）を介して支持容器３の外方に突出し、支持容器３内のセメントモルタル６は、第４図に示すように接合部材２の部分を除いて電極部材５を囲んで全周にわたって当接するとともにコンクリート構造物１０の下面１０aに圧着し、構造物１０と電極部材５とを電気的に接続する。このようにして、コンクリート構造物１０の下面１０aに電極体１を形成かつ取付けることができる。」（第３頁右上欄第１２行〜右下欄第３行）
（１−５）「各電極体１，１５の各電極部材５，１５ ′を図示しない直流電源の陽極に接続する一方、各供試体１０，１０′各鉄筋１１，１１′を前記電源の陰極にそれぞれ接続して一定電流を供給し、」（第４頁左上欄５〜８行）
　
４．対比・判断 
（１）本件発明１について 
　上記摘記事項（１−１）の「鉄筋コンクリート構造物に電極体を取り付けることによって、そのコンクリート構造物を防食する」という記載、上記摘記事項（１−２）の「コンクリート構造物の鉄筋を直流電源の陰極に、また電極体の電極部材を陽極に接続してそれらの間に一定電流を流すと、電極部材からバックフィル材およびコンクリートを介して鉄筋に防食電流が流れ、それによって前記鉄筋の腐食が防止される。」という記載、上記摘記事項（１−５）の「各電極体１，１５の各電極部材５，１５′を図示しない直流電源の陽極に接続する一方、各供試体１０，１０′各鉄筋１１，１１′を前記電源の陰極にそれぞれ接続して一定電流を供給し、」という記載から刊行物１には、コンクリート構造物の防食装置において、電極体の電極部材とコンクリート構造物の鉄筋との間に防食電流を流す手段を有する鉄筋コンクリート構造物の防食装置が記載されているといえる。
　また、上記摘記事項（１−３）に、接合部材は合成樹脂で形成することが例示されており、上記摘記事項（１−４）には、各接合部材をコンクリート構造物下面に固設したのち、各接合部材のガイド壁間の各空間内にその開口端から電極部材を圧入嵌装し、コンクリート構造物に電極部材を固定した後、支持容器内にバックフィル材を小過剰に充填してから、支持容器を各接合部材に外嵌させつつ構造物に押しつけて各爪状鉤を当該支持容器の対応する各スリット内に嵌合させ、各接合部材に支持容器を係止保持させる記載がある。
　したがって、上記摘記事項（１−１）〜（１−５）を総合すると、刊行物１には、「コンクリート構造物の防食装置において、コンクリート下面に、電極体の電極部材を固定した接合部材を設け、該接合部材は合成樹脂からなり、バックフィル材を充填した支持容器を前記接合部材に係止保持させ、前記電極体の電極部材とコンクリート構造物の鉄筋との間に防食電流を流す手段を有する鉄筋コンクリート構造物の防食装置」（以下、刊行物１発明という。）が記載されているといえる。
　
　そこで、本件発明１と刊行物１発明とを対比すると、刊行物１発明の「防食装置」「下面」「電極体の電極部材」「接合部材」「合成樹脂」「バックフィル材」「鉄筋」「防食電流を流す手段」「鉄筋コンクリート構造物」は、それぞれ、本件発明１の「電気防食装置」「表面」「電気防食電極」「電気防食電極保持部材」「合成樹脂材」「充填材」「鋼材」「防食電流を通電する手段」「コンクリート鋼構造物」に相当しているので、両者は、「コンクリート構造物の電気防食装置において、コンクリート表面に、電気防食電極を固定した電気防食電極保持部材を設け、該電気防食電極保持部材は合成樹脂材料からなり、充填材が前記電気防食電極保持部材に隣接して保持させ、前記電気防食電極とコンクリート構造物中の鋼材との間に防食電流を通電する手段を有するコンクリート鋼構造物の電気防食装置」である点で一致し以下の点で相違する。
　
イ．電気防食電極保持部材に関して、本件発明１では、コンクリート表面に接する底部と該底部の両側の部材からなり、内部に、電気防食電極を有し、充填材が保持されているのに対し、刊行物１発明では、電気防食電極が固定されてはいるものの、充填材は、電気防食電極保持部材に係止保持された支持容器に充填され、該支持容器とコンクリート下面の間に保持されている点。
　
　そこで、上記相違点について検討する。 
　
相違点イについて 
　本件発明１は、充填材をコンクリート表面と支持容器間に保持するものではなく、充填材をコンクリート表面に接する底部と該底部の両側の部材からなる保持部材によって保持するものであり、この保持部材の構造は自明な事項であるとも言えないので、本件発明１は、刊行物１に記載された発明ではない。 
　
　また、刊行物１の上記摘記事項（１−１）〜（１−５）を検討しても、充填材をコンクリート表面に接する底部と該底部の両側の部材からなる保持部材によって保持する点については、示唆する記載もない。 
　そして、本件発明１は、上記保持部材の構造により【０００６】【００２５】に記載されるとおり、電気防食電極の取り付けが容易で、コンクリート構造物に対しても負担が少なく、施工性が良好で、しかも防食効果が大きなコンクリート構造物中の鋼材の電気防食装置及び電気防食方法を提供するという顕著な効果を奏するものと認められる。 
　
　してみれば、本件発明１は、刊行物１に記載された発明に基づいて当業者が容易に発明できたものでもない。 
　
（２）本件発明２について 
　本件発明２は、本件発明１の電気防食電極について、「エキスパンデッドメタルからなる基材から作製されたもの」である点、「コンクリート表面に固定部材によって固定されている」点をさらに特定したもので、本件発明１の特定をすべて引用する発明である。 
　そうすると、刊行物１の上記摘記事項（１−４）には、「耐食性のプラグを各接合部材の各孔を介してコンクリート構造物の対応する各孔に圧入し、各接合部材をコンクリート構造物の下面に強固に固設したが記載されているものの、本件発明１が、刊行物１に記載された発明ではなく、刊行物１に記載された発明に基づいて当業者が容易に発明することができない以上、同様に本件発明２は、刊行物１に記載された発明ではなく、刊行物１に記載された発明に基づいて当業者が容易に発明することができたものではない。 
　
（３）本件発明３について
　上記摘記事項（１−１）の「鉄筋コンクリート構造物に電極体を取り付けることによって、そのコンクリート構造物を防食する方法において」という記載、上記摘記事項（１−２）の「コンクリート構造物の鉄筋を直流電源の陰極に、また電極体の電極部材を陽極に接続してそれらの間に一定電流を流すと、電極部材からバックフィル材およびコンクリートを介して鉄筋に防食電流が流れ、それによって前記鉄筋の腐食が防止される。」という記載、上記摘記事項（１−５）の「各電極体１，１５の各電極部材５，１５′を図示しない直流電源の陽極に接続する一方、各供試体１０，１０′各鉄筋１１，１１′を前記電極の陰極にそれぞれ接続して一定電流を供給し、」という記載から刊行物１には、コンクリート構造物の防食方法において、コンクリート構造物の鉄筋と電極体の電極部材との間に防食電流を流すコンクリート構造物の防食方法が記載されているといえる。
　また、上記摘記事項（１−４）には、各接合部材をコンクリート構造物下面に固設したのち、各接合部材のガイド壁間の各空間内にその開口端から電極部材を圧入嵌装し、コンクリート構造物に電極部材を固定した後、支持容器内にバックフィル材を小過剰に充填してから、支持容器を各接合部材に外嵌させつつ構造物に押しつけて各爪状鉤を当該支持容器の対応する各スリット内に嵌合させ、各接合部材に支持容器を係止保持させる記載がある。
　したがって、上記摘記事項（１−１）〜（１−５）を総合すると、刊行物１には、「コンクリート構造物の防食方法において、コンクリート構造物の下面に、接合部材を固設したのち、該接合部材に電極体の電極部材を固定し、支持容器内にバックフィル材を充填してから、支持容器を前記接合部材に係止保持させ、コンクリート構造物の鉄筋と電極体の電極部材との間に防食電流を流すコンクリート構造物の防食方法」（以下、刊行物１方法発明という。）が記載されているといえる。
　
　そこで、本件発明３と刊行物１方法発明とを対比すると、刊行物１方法発明の「防食方法」「コンクリート構造物の下面」「接合部材を固設し」「電極体の電極部材を固定し」「バックフィル材を充填してから」「鉄筋」「防食電流を流す」は、それぞれ、本件発明１の「電気防食方法」「防食対象のコンクリート表面」「電気防食電極保持部材を固定した後に、」「電気防食電極を・・・固定し」「充填材を・・・充填し」「鋼材」「防食電流を通電する」に相当しているので、両者は、「コンクリート構造物の電気防食方法において、防食対象のコンクリート表面に、電気防食電極保持部材を固定した後に、電気防食電極を固定し、充填材が充填され、コンクリート構造物中の鋼材と電気防食電極との間に防食電流を通電するコンクリート構造物の電気防食方法」である点で一致し以下の点で相違する。
　
ロ．充填材の充填に関して、本件発明３では、電気防食電極保持部材中に充填材を充填しているのに対し、刊行物１方法発明では、支持容器内に充填材を充填してから、該支持容器を電気防食電極保持部材に係止保持させている点。
ハ．充填材の充填方法に関して、本件発明３では、塗布あるいは注入によって充填し、と特定されているのに対して、刊行物１方法発明では特定されていない点。
ニ．電気防食電極の固定に関して、本件発明３では、電気防食電極保持部材の内部に配置し固定し、とされているのに対して、刊行物１方法発明では、そのような記載のない点。
　
　そこで、上記相違点について検討する。 
　
相違点ロについて 
　刊行物１方法発明は、本件発明３と充填材を保持する支持容器の有無の点及び充填材を充填保持する方法の点で相違しており、この点は自明な事項であるとも言えないので、相違点ロは自明な事項とは言えず、したがって、本件発明３は、刊行物１に記載された発明ではない。
　
　また、上記摘記事項（１−１）〜（１−５）をはじめ、刊行物１の記載を検討しても、相違点ロに係る電気防食電極保持部材中に充填材を充填する点については、示唆する記載もない。
　そして、本件発明３は、この点により、【０００６】【００２５】に記載されるとおり、電気防食電極の取り付けが容易で、コンクリート構造物に対しても負担が少なく、施工性が良好で、しかも防食効果が大きなコンクリート構造物中の鋼材の電気防食方法を提供するという顕著な効果を奏するものと認められる。 
　
　してみれば、本件発明３は、相違点ハ、ニについて検討するまでもなく、刊行物１に記載された発明に基づいて当業者が容易に発明できたものでもない。
　
（４）本件発明４について 
　本件発明４と刊行物１方法発明とを対比すると、刊行物１方法発明の「防食方法」「コンクリート構造物の下面」「接合部材」「電極体の電極部材」「バックフィル材を充填してから」「鉄筋」「防食電流を流す」は、それぞれ、本件発明１の「電気防食方法」「防食対象のコンクリート表面」「電気防食電極保持部材」「電気防食電極」「充填材を・・・充填し」「鋼材」「防食電流を通電する」に相当しているので、両者は、「コンクリート構造物の電気防食方法において、防食対象のコンクリート表面に、電気防食電極保持部材及び電気防食電極を固定し、充填材が充填され、コンクリート構造物中の鋼材と電気防食電極との間に防食電流を通電するコンクリート構造物の電気防食方法」である点で一致し以下の点で相違する。
　
ホ．充填材の充填に関して、本件発明４では、電気防食電極保持部材中に充填材を充填しているのに対し、刊行物１方法発明では、支持容器内に充填材を充填してから、該支持容器を電気防食電極保持部材に係止保持させている点。
ヘ．充填材の充填方法に関して、本件発明４では、塗布あるいは注入によって充填し、と特定されているのに対して、刊行物１方法発明では特定されていない点。
ト．電気防食電極の固定に関して、本件発明４では、電気防食電極保持部材の内部に固定することが示されているのに対して、刊行物１方法発明では、そのような記載のない点。
　
　そこで、上記相違点ホについて検討すると、４．（３）で述べたのと同様の理由により、本件発明４は、刊行物１に記載された発明ではなく、相違点ヘ、トについて検討するまでもなく、刊行物１に記載された発明に基づいて当業者が容易に発明できたものでもない。
　
５．むすび 
　以上のとおりであるから、特許異議申立ての理由及び証拠によっては、本件請求項１〜４に係る発明の特許を取り消すことはできない。 
　また、他に本件請求項１〜４に係る発明の特許を取り消すべき理由を発見しない。 
　よって結論のとおり決定する。
【異議決定日】
平成１７年３月２９日（２００５．３．２９）
【訂正の要旨】
審決（決定）の【理由】欄参照。
（５４）【発明の名称】
コンクリート構造物の電気防食装置および電気防食方法
（５７）【特許請求の範囲】
　【請求項１】　コンクリート構造物の電気防食装置において、コンクリート表面に、内部に電気防食電極を有した電気防食電極保持部材を設け、該電気防食電極保持部材は、合成樹脂材料、不良導電性材料、薄膜形成性金属、セメント系のモルタル材料からなる群から選ばれるいずれか一種からなり、該電気防食電極保持部材は、コンクリート表面に接する底部と該底部の両側の部材からなり、該底部の設置面がコンクリート表面に接して配置されるとともに、該電気防食電極保持部材の内部に充填材が保持されており、前記電気防食電極とコンクリート構造物中の鋼材との間に防食電流を通電する手段を有することを特徴とするコンクリート鋼構造物の電気防食装置。
　【請求項２】　電気防食電極がエキスパンデッドメタルからなる基材から作製されたものであって、コンクリート表面に固定部材によって固定されていることを特徴とする請求項１記載のコンクリート構造物の電気防食装置。
　【請求項３】　コンクリート構造物の電気防食方法において、防食対象のコンクリート表面に、電気防食電極保持部材を固定した後に、該電気防食電極保持部材の内部に電気防食電極を配置し固定し、その後に電気防食電極保持部材中に充填材を塗布あるいは注入によって充填し、コンクリート構造物の鋼材と電気防食電極との間に防食電流を通電することを特徴とするコンクリート構造物の電気防食方法。
　【請求項４】　コンクリート構造物の電気防食方法において、電気防食電極を内部に固定した電気防食電極保持部材を防食対象のコンクリート表面に固定した後に、電気防食電極保持部材中に充填材を塗布あるいは注入によって充填し、コンクリート構造物の鋼材と電気防食電極との間に防食電流を通電することを特徴とするコンクリート構造物の電気防食方法。
【発明の詳細な説明】
　【０００１】
　【発明の属する技術分野】
　本発明は、コンクリート構造物の電気防食に関し、特にコンクリート構造物中の鉄筋等の鋼材の電気防食装置および電気防食方法に関する。
　【０００２】
　【従来の技術】
　コンクリート構造物中の鉄筋は、コンクリート中のアルカリ性環境では、通常は腐食は進行しない。しかし、沿岸部に位置するコンクリート構造物や凍結防止用に散布された塩化カルシウム、食塩等のハロゲン化物を含有した水に接触する構造物においては、ハロゲン化物がコンクリート中に侵入して、鉄筋の腐食が生じることがある。
　鉄筋が腐食すると、生成した鉄の水酸化物等によって鉄筋の体積が膨脹して、周囲のコンクリートに応力が作用してコンクリートのひび割れが生じる。コンクリートに生じたひび割れによって、さらに海水等のハロゲン化物を含有した水が浸入すると、さらに鉄筋の腐食が進行し、コンクリート構造物の落下等の重大な問題が生じる危険性がある。
　【０００３】
　コンクリート構造物中の鉄筋等の鋼構造物の腐食を防止する手段として、コンクリート構造物の表面にチタン等の耐食性金属の表面に電極触媒被覆を形成した電極を装着し、鉄筋を陰極として鉄筋に防食電流を供給する電気防食方法が知られている。
　電気防食方法は、腐食環境下にある鉄筋の電位を、腐食が生じない卑の方向へと変化させることによって腐食が生じないものとするものであり、電気防食用の陽極のコンクリート表面への設置方法には各種の方法が知られている。
　例えば、サンドブラスト等を使用してコンクリート表面に凹凸を設ける等の方法によって下地処理を行い、網状陽極を固定治具を用いてコンクリート表面に設置する。次に、各網状陽極を電流分配材料を用いスポット溶接し、陽極間の電気的導通を確保することが行われている。またコンクリート表面に固定した網状陽極は、セメント系の陽極被覆材（オーバーレイ材）により、陽極全面を被覆する方法が知られている。ところが、陽極の設置の際のオバーレイモルタルにより、施工後構造物の死荷重が増加するという問題点があった。
　また、オーバーレイ材等のモルタルの防食対象への被覆は、所定の厚さまで何回かに分けて塗布し、モルタルとコンクリート躯体との接着力を十分に確保することが必要であり、熟練した技能者による作業が必要となる。
　【０００４】
　また、コンクリート表面に帯状陽極を埋設するために、コンクリートカッター等を用いて一定の間隔で溝の切削を行う方法が知られている。
　この方法では、切削した溝へ帯状陽極を固定し、各陽極を電流分配部材で結合し、同一回路内で電気的に一体となるようにした後、溝をセメントモルタルで充填する。また、直接海水などのしぶきを受けるような厳しい環境においては、溝に型枠を設置しセメント系充填材を注入することが行われている。
　ところが、既設構造物に施工する場合、帯状陽極をコンクリート表面に埋設するための溝をコンクリートカッター等により切削して除去する必要があり、対象構造物において、劣化の見られない健全な個所にも陽極を埋設するための溝を設ける必要がある。
　帯状陽極は、対象構造物中の鋼材に均一に防食電流を供給するため少なくとも両極の配置間隔が３０ｃｍ以下となるように溝を設け、陽極を設置する必要があり、この作業に時間を要する。また、鉄筋上のコンクリートのかぶり厚さが小さい場合には、陽極と鉄筋が短絡する危険性があるので施工が不可能となる。また、コンクリート中に埋め込まれた鉄筋の結束に用いられた結束線との短絡の可能性もあり、常に陽極と鉄筋との絶縁を確認しながら施工しなければならないと言う問題点があった。
　【０００５】
　また、コンクリート構造物に所定の径、および深さの孔を振動ドリル等によって形成し、陽極棒を孔に挿入する方法が知られている。
　この方法では、孔内部にバックフィルを充填後、陽極棒を孔に挿入し、チタン線などによって各陽極棒を結線し、陽極棒頭部及びチタン線を溝に収めて調合モルタル等で埋め戻すことが行われている。
　ところが、この方法では、陽極棒の配置はコンクリート表面積１ｍ２当たり少なくとも１０本以上埋設するために、数多くの設置孔を設ける必要があった。また、コンクリート表面からコンクリート中へ陽極棒を挿入するために、コンクリート中の鉄筋との接触の危険性があり、陽極棒の１本、１本が鉄筋と接触していないかを調査しながら施工しなくてはならず、陽極設置に手間を要した。また、鉄筋上のコンクリートのかぶり厚さが陽極棒の長さよりも小さい場合には、陽極棒を設置することが不可能である。
　また、防食電流を均一に供給するためには、挿入した個々の陽極棒の先端と鉄筋との距離が問題となるので、挿入用の孔を設ける前に、対象構造物中の鉄筋の配置状況をレーダー等を用いて調査をし、最適な陽極位置を求めることが必要であった。
　【０００６】
　【発明が解決しようとする課題】
　本発明は、電気防食電極の取り付けが容易で、またコンクリート構造物に対しても負担が小さく、施工性が良好で、しかも防食効果が大きなコンクリート構造物中の鋼材の電気防食装置および電気防食方法を提供することを課題とするものである。
　【０００７】
　【課題を解決するための手段】
　本発明の課題は、コンクリート構造物の電気防食装置において、コンクリート表面に、コンクリート表面との接触部に開口部を有した電気防食電極保持部材を有し、該電気防食電極保持部材中には電気防食電極を有するとともに充填材が満たされており、電気防食電極とコンクリート構造物中の鋼材との間に防食電流を通電する手段を有するコンクリート鋼構造物の電気防食装置によって解決することができる。
　電気防食電極がコンクリート表面に固定部材によって固定されている前記のコンクリート構造物の電気防食装置である。
　【０００８】
　また、コンクリート構造物の電気防食方法において、防食対象のコンクリート表面に、コンクリート表面との接触部に開口部を有した電気防食電極保持部材を固定した後に、該電気防食電極保持部材中に電気防食電極を配置し固定し、その後に電気防食電極保持部材中に充填材を塗布あるいは注入によって充填し、コンクリート構造物の鋼材と電気防食電極との間に防食電流を通電するコンクリート構造物の電気防食方法である。
　コンクリート構造物の電気防食方法において、防食対象のコンクリート表面に、コンクリート表面との接触部に開口部を有し、内部に電気防食電極を備えた電気防食電極保持部材を固定した後に、該電気防食電極保持部材中に充填材を塗布あるいは注入によって充填し、コンクリート構造物の鋼材と電気防食電極との間に防食電流を通電するコンクリート構造物の電気防食方法である。
　【０００９】
　【発明の実施の形態】
　本発明は、電気防食電極保持部材を用いることによって、コンクリート表面を切削加工する等の工程を経ることなく直接に電気防食電極を装着することができるので、施工性良く電気防食装置を作製することができるという特徴を有している。
　そして、本発明の電気防食装置および電気防食方法によって施工後の死荷重の増加等の問題点、コンクリートの切削加工、あるいは電極用の孔形成の問題点等を解決することができ、コンクリート構造物中の鋼材へ防食電流が均一に供給され、コンクリート構造物中の鋼材を効果的に防食することができる。
　【００１０】
　以下に図面を参照して本発明を説明する。
　図１は、本発明の電気防食装置を説明する図である。
本発明の電気防食装置１をコンクリート２の表面に装着した状態を説明する斜視図であり、一部を切り欠いて示している。
　コンクリート２中には鉄筋３が配置されており、コンクリート２の表面に、電気防食電極保持部材４が取り付けられている。電気防食電極保持部材４中には、電気防食電極５がコンクリート２の表面に接して配置されており、電気防食電極保持部材４中には、充填材１０が充填されており、電気防食電極５を被覆している。また、電気防食電極保持部材の上部は、蓋体４１が設けられており、内部の電気防食電極および充填材１０が保護されている。
　各電気防食電極は、電流分配部材６によって電気的に接続されており、電流分配部材６、および鉄筋３には防食電流供給用リード線７および８が接統されており、電源９から、防食電流が供給される。
　【００１１】
　図２は、本発明の電気防食装置の電気防食電極保持部材の断面を示す図である。電気防食電極５は、コンクリート２の表面に接するように配置されており、電気防食電極保持部材４の設置面４２がコンクリート表面に固定されている。
　また、電気防食電極保持部材４内には、電気防食電極５を被覆する充填材１０で満たされており、蓋体４１で覆われている。
　【００１２】
　図３は、電気防食電極保持部材の一例を説明する図であり、図３（Ａ）は、平面図、図３（Ｂ）は、Ａ−Ａ’線での断面図であり、図３（Ｃ）はＢ−Ｂ’線での断面図である。また、図３（Ｄ）は、電極を取り付けた状態を説明する図である。
　電気防食電極保持部材４は、コンクリート２の表面に接する設置面４２を有し、内部に配置する防食電極がコンクリート表面と接するように底部には開口部４３を有すると共に、開口部４３の間には、電気防食電極保持部材４の両側の部材を結合する保持部４４を有し、保持部４４には、コンクリート表面に固定部材によって電気防食電極保持部材４、電気防食電極の少なくともいずれか一方を取り付けるための貫通孔４５が設けられている。
　また、図３（Ｄ）に示した例では、電気防食電極保持部材４は、コンクリート表面に設置面４２によって設置され、電気防食電極５は、固定部材１１によって取り付けらている。固定部材１１は、固定部の電極面が表面に表れるように、プラグ部１２と開口部を設けたフランジ部１３から構成されている。
　【００１３】
　本発明の電気防食装置に使用する電気防食電極としては、チタン等の耐食性金属からなる帯状の基材、あるいはエキスパンデッドメタルからなる基材上に、白金、パラジウム、ロジウム、イリジウム、およびルテニウム等の白金族の金属酸化物と酸化チタン、酸化タンタル等のバルブ金属酸化物との複合酸化物からなる電極触媒被覆を形成したもの、あるいはコバルトスピネル化合物からなる電極触媒被覆を形成したものが好ましく、電極触媒被覆の形成に先だって、白金等の金属からなる下地層を形成したものであっても良い。
　【００１４】
　また、電気防食電極保持部材としては、絶縁性材料を用いることができるが、コンクリートと同程度の体積固有抵抗を有する材料の場合には、電気防食電極保持部材を通じた電気防食電流の通電が可能となり、電気防食電極保持部材が電気的な障害物とならないのでより好ましい。このような物質を用いる場合には、体積固有抵抗が１０００Ωｃｍ以上、５００００Ωｃｍ以下のものが好ましい。
　具体的には、塩化ビニル樹脂、ポリアミド樹脂等の耐食性が大きな合成樹脂材料、セラミックス等の不良導電性材料と共にチタン等の腐食性環境において表面に緻密な酸化皮膜を形成し電極としては機能しなくなる薄膜形成性金属等、あるいはコンクリートを用いることができる。
　【００１５】
　特に、セメント系のモルタル等を材料としたセメント系の材料は、防食電流を通電した場合に防食対象のコンクリートと電気抵抗等の面において同等の挙動を示すので、電気防食電極保持部材には開口部を設けなくてもコンクリート中の防食対象の鉄筋に対して防食電流を通電することが可能である。しかも、セメント系の材料によって製造した電気防食電極保持部材は、熱膨張係数等もコンクリートと同等の値のものが得られるので、熱膨張係数の不一致による変形等が生じることが少ない。
　【００１６】
　また、電気防食電極保持部材中に充填する充填材としては、電気防食電極とコンクリート表面との間に生じた空隙を充填するとともに電気防食電極を被覆して、防食対象のコンクリートと一体化するコンクリートと同程度のイオン導電性を示す材料を用いることが好ましく、例えば、セメント系のモルタル、セメントペースト等が挙げられる。
　これらの充填材中には、ｐＨ１２程度の高ｐＨで非導電性の繊維を含有してもも良い。使用可能な繊維としては、アルミナ、チタニア及びジルコニアの繊維等のセラミック繊維、ポリエチレン、ポリプロピレン等ポリオレフィンの繊維、芳香族ポリアミド繊維、ポリアミドの繊維、ポリテトラフルオロエチレン繊維を含むポリハロカーボン繊維、ポリカーボネート繊維及びポリエチレンテレフタレート繊維等のポリエステル繊維等を挙げることができ、表面が平滑ではない繊維が好ましい。
　【００１７】
　また、コンクリート表面に装着した複数の電気防食電極保持部材内の各電気防食電極を導電接統する電流分配部材としては、電気防食電極の基材として使用するチタン等の耐食性が大きな金属材料で作製することが好ましいが、被覆した電線等を用いて接合しても良い。
　【００１８】
　次に、本発明の電気防食装置の設置方法について説明する。
　まず、防食対象となるコンクリート構造物の表面に塗膜があれば表面の塗膜を除去し、コンクリート表面にひび割れ等がある場合には、ひび割れ部を充填する。
　次いで、コンクリート中に配置された鉄筋の配置間隔、あるいは配置の疎密に応じて、鉄筋に所望の防食電流が通電可能となるように電気防食電極の配置間隔を考慮して電気防食電極保持部材および電気防食電極を取り付ける。
　電気防食電極保持部材の取り付けは、コンクリートに設けた孔に固定部材を挿入することによって取り付けても、あるいは接着性物質で取り付けても良く、あるいは両者を用いて取り付けても良い。
　【００１９】
　また、電気防食電極は、電気防食電極保持部材と一体に固定部材によって取り付けても、あるいは電気防食電極保持部材の取り付け手段とは別個の取り付け手段によって取り付けても良い。
　電気防食電極を取り付けた後に、各電気防食電極に電流分配部材を結合した後に電気防食電極保持部材中に充填材を充填し、次いで、電気防食電極保持部材の上部に蓋体を取り付けても良い。また、電流分配部材を配置する部分を残して施工し、電流分配部材を後から取り付けても良い。
　次いで、電流分配部材とコンクリート中の鉄筋に防食電流の供給用のリード線を接続し、電源から防食環境に応じた防食電流を供給することによって防食することができる。
　【００２０】
　図４は、本発明の電気防食電極保持部材を用いた一実施例を説明する図であり、施工面の断面を説明する図である。
　図４（Ａ）に示すように、コンクリート２の表面に、コンクリート２内部の鉄筋３に均等に防食電流が供給されるように所定の間隔を設けて防食電極保持部材４を配置する。次いで、図４（Ｂ）に示すように、固定部材１１によって防食電極保持部材を固定した後に、電気防食電極保持部材４の内部に電気防食電極５を固定する。次いで、図４（Ｃ）に示すように電気防食電極保持部材４の内部にモルタル等の充填材１０を充填し、電気防食電極５の表面を覆う。
　また、各電気防食電極には、充填材を充填する前に電流分配部材を結合しても、あるいは電流分配部材との結合部分を残して施工し、電流分配部材を後から取り付けても良い。
　【００２１】
　図５は、本発明の電気防食電極保持部材を用いた他の実施例を説明する図であり、施工面の断面を説明する図である。
　図５（Ａ）に示すように、コンクリート２の表面に、コンクリート２内部の鉄筋３に均等に防食電流が供給されるように所定の間隔を設けて電気防食電極保持部材４を配置する。次いで、図５（Ｂ）に示すように、固定部材１１によって電気防食電極保持部材を固定した後に、電気防食電極保持部材４の内部に電気防食電極５を固定する。更に、図４（Ｃ）に示すように、蓋体４１を取り付けた後に、充填材注入管１４によってモルタル等の充填材１０を充填し、図４（Ｄ）に示すように充填材を硬化した後に、図４（Ｅ）に示すように、電気防食電極保持部材４を覆った蓋体４１を取り除くことによって電気防食装置を完成する。
　また、各電気防食電極には、充填材を充填する前に電流分配部材を結合しても、あるいは電流分配部材との結合部分を残して施工し、電流分配部材を後から取り付けても良い。
　【００２２】
　図６は、本発明の電気防食電極保持部材を用いた他の実施例を説明する図であり、施工面の断面を説明する図である。
　図６（Ａ）に示すように、電気防食電極保持部材４に電気防食電極５を取り付けた後に、図６（Ｂ）に示すように、コンクリート２の表面に、コンクリート２内部の鉄筋３に均等に防食電流が供給されるように所定の間隔を設けて電気防食電極保持部材４を配置し、固定部材１１によって固定する。
　次いで、図６（Ｃ）に示すように、電気防食電極保持部材の内部にモルタル等の充填材１０を充填し電気防食電極５の表面を覆い電気防食装置を完成する。
　また、各電気防食電極には、充填材を充填する前に電流分配部材を結合しても、あるいは電流分配部材との結合部分を残して施工し、電流分配部材を後から取り付けても良い。
　【００２３】
　図７は、本発明の電気防食電極保持部材を用いた他の実施例を説明する図であり、施工面の断面を説明する図である。
　図７（Ａ）に示すように、コンクリート２の表面に、コンクリート２内部の鉄筋３に均等に防食電流が供給されるように所定の間隔を設けて、内部に予め電気防食電極５を設けた防食電極保持部材４を配置し、固定部材１１によって電気防食電極保持部材４を固定する。次いで、図７（Ｂ）に示すように、電気防食電極保持部材４に蓋体４１を取り付けた後に、充填材注入管１４によってモルタル等の充填材１０を充填する。
　更に、図７（Ｃ）に示すように充填材を硬化した後に、図７（Ｄ）に示すように、電気防食電極保持部材４を覆った蓋体４１を取り除くことによって電気防食装置を完成する。
　また、各電気防食電極には、充填材を充填する前に電流分配部材を結合しても、あるいは電流分配部材との結合部分を残して施工し、電流分配部材を後から取り付けても良い。
　【００２４】
　また、図８は、本発明の電気防食装置を施工した例を説明する図である。
　図８（Ａ）は、コンクリート構造物２０の側面を説明する図であり、コンクリート構造物の壁面に本発明の電気防食電極保持部材４を配置したものである。コンクリート構造物中には、直径９ｍｍの異形鉄筋が１００ｍｍの間隔で縦横に配置されており、コンクリート表面にモルタルが付着しやすいように下地処理を行った後に、図８（Ｂ）に示すように、底面に開口部を有し、内部に電気防食電極を取り付けた塩化ビニル樹脂製の幅２５ｍｍ、長さ１００ｍｍの防食電極保持部材４を３００ｍｍの間隔でコンクリート構造物の壁面に取り付けた。
　そして、各電気防食電極を電流分配部材６によって結合した後に、電気防食電極保持部材４内部にモルタル充填した。
　次いで、鉄筋と電気防食電極の間に電流を通電することによって、鉄筋には１００ｍＶの均一な分極を与えることができた。
　【００２５】
　【発明の効果】
　本発明の電気防食装置によって、コンクリート構造物の鋼材の電気防食を容易に、しかもコンクリート構造物に大きな荷重を与えることがなく行うことが可能となる。
【図面の簡単な説明】
　【図１】
　図１は、本発明の電気防食装置を説明する図である。
　【図２】
　図２は、本発明の電気防食装置の防食電極保持部材の断面を示す図である。
　【図３】
　図３は、防食電極保持部材の一例を説明する図である。
　【図４】
　図４は、本発明の電気防食電極保持部材を用いた実施例を説明する図であり、施工面の断面を説明する図である。
　【図５】
　図５は、本発明の電気防食電極保持部材を用いた他の実施例を説明する図であり、施工面の断面を説明する図である。
　【図６】
　図６は、本発明の電気防食電極保持部材を用いた他の実施例を説明する図であり、施工面の断面を説明する図である。
　【図７】
　図７は、本発明の電気防食電極保持部材を用いた他の実施例を説明する図であり、施工面の断面を説明する図である。
　【図８】
　図８は、本発明の電気防食装置を施工した例を説明する図である。
　【符号の説明】
　１…電気防食装置、２…コンクリート、３…鉄筋、４…電気防食電極保持部材、５…電気防食電極、６…電流分配部材、７，８…防食電流供給用リード線、９…電源、１０…充填材、１１…固定部材、１２…プラグ部、１３…フランジ部、１４…充填材注入管、２０…コンクリート構造物、４１…蓋体、４２…設置面、４３…開口部、４４…保持部、４５…貫通孔